(57)【要約】【課題】多数の監視対象の中から目的の監視対象を早く検索可能なＷＥＢ監視システムを提供することにある。【解決手段】監視者は最上位ＷＥＢサーバ２へアクセスし、ＷＥＢ画面１ａに表示された集約情報からどの監視対象の詳細情報を見るべきかを判断する。監視者が監視対象をＷＥＢ画面１ａ上で選択すると、ＷＥＢブラウザ１はリンクの張られた監視対象（Ａ〜Ｃ）用ＷＥＢサーバ３〜５へ自動的にアクセスし、監視対象（Ａ〜Ｃ）用ＷＥＢサーバ３〜５からの詳細情報をＷＥＢ画面１ａに表示するので、監視者が詳細情報を確認することが可能となる。【選択図】　　　図１
2004046383.tif 000002
【特許請求の範囲】
【請求項１】
各々監視対象の情報を集約して管理する複数の監視対象用ＷＥＢサーバと、前記複数の監視対象用ＷＥＢサーバのうちの自装置に対応するＷＥＢサーバからの集約情報を集約して管理しかつ前記自装置に対応するＷＥＢサーバへのリンク情報を保持する上位ＷＥＢサーバとを有することを特徴とするＷＥＢ監視システム。
【請求項２】
複数の監視対象でグループを構成し、そのグループ毎に前記監視対象用ＷＥＢサーバを配置することを特徴とする請求項１記載のＷＥＢ監視システム。
【請求項３】
前記監視対象用ＷＥＢサーバを複数まとめてグループを構成し、そのグループ毎にグループ用ＷＥＢサーバを配置することを特徴とする請求項１または請求項２記載のＷＥＢ監視システム。
【請求項４】
前記グループ用ＷＥＢサーバは、下位のＷＥＢサーバからの集約情報を集約して管理する手段と、その集約した情報を上位のＷＥＢサーバに送出する手段とを含むことを特徴とする請求項３記載のＷＥＢ監視システム。
【請求項５】
前記リンク情報を基に最上位のＷＥＢサーバで管理される集約情報から順次下位のＷＥＢサーバで管理される集約情報へと展開して表示することを特徴とする請求項１から請求項４のいずれか記載のＷＥＢ監視システム。
【請求項６】
両端部の端局間を接続する通信回線と、前記両端部の端局各々と、前記端局の構成要素各々とをそれぞれ監視対象としてそれらの監視を行うＷＥＢ監視システムであって、前記監視対象各々の情報を集約して管理する複数の監視対象用ＷＥＢサーバと、前記複数の監視対象用ＷＥＢサーバのうちの自装置に対応するＷＥＢサーバからの集約情報を集約して管理しかつ前記自装置に対応するＷＥＢサーバへのリンク情報を保持する上位ＷＥＢサーバとを有することを特徴とするＷＥＢ監視システム。
【請求項７】
前記監視対象用ＷＥＢサーバを、前記通信回線の保守管理を行う装置と前記端局各々と前記構成要素各々とにそれぞれ配設し、
前記上位ＷＥＢサーバを、前記両端部の端局各々の上位装置に配設したことを特徴とする請求項６記載のＷＥＢ監視システム。
【請求項８】
複数の監視対象でグループを構成し、そのグループ毎に前記監視対象用ＷＥＢサーバを配置することを特徴とする請求項６または請求項７記載のＷＥＢ監視システム。
【請求項９】
前記監視対象用ＷＥＢサーバを複数まとめてグループを構成し、そのグループ毎にグループ用ＷＥＢサーバを配置することを特徴とする請求項６から請求項８のいずれか記載のＷＥＢ監視システム。
【請求項１０】
前記グループ用ＷＥＢサーバは、下位のＷＥＢサーバからの集約情報を集約して管理する手段と、その集約した情報を上位のＷＥＢサーバに送出する手段とを含むことを特徴とする請求項９記載のＷＥＢ監視システム。
【請求項１１】
前記リンク情報を基に最上位のＷＥＢサーバで管理される集約情報から順次下位のＷＥＢサーバで管理される集約情報へと展開して表示することを特徴とする請求項６から請求項１０のいずれか記載のＷＥＢ監視システム。
【請求項１２】
複数の監視対象用ＷＥＢサーバ各々で監視対象の情報を集約して管理し、上位ＷＥＢサーバで前記複数の監視対象用ＷＥＢサーバのうちの自装置に対応するＷＥＢサーバからの集約情報を集約して管理するとともに、前記自装置に対応するＷＥＢサーバへのリンク情報を保持することを特徴とするＷＥＢ監視方法。
【請求項１３】
複数の監視対象でグループを構成し、そのグループ毎に前記監視対象用ＷＥＢサーバを配置することを特徴とする請求項１２記載のＷＥＢ監視方法。
【請求項１４】
前記監視対象用ＷＥＢサーバを複数まとめてグループを構成し、そのグループ毎にグループ用ＷＥＢサーバを配置することを特徴とする請求項１２または請求項１３記載のＷＥＢ監視方法。
【請求項１５】
前記グループ用ＷＥＢサーバは、下位のＷＥＢサーバからの集約情報を集約して管理するステップと、その集約した情報を上位のＷＥＢサーバに送出するステップとを含むことを特徴とする請求項１４記載のＷＥＢ監視方法。
【請求項１６】
前記リンク情報を基に最上位のＷＥＢサーバで管理される集約情報から順次下位のＷＥＢサーバで管理される集約情報へと展開して表示することを特徴とする請求項１２から請求項１５のいずれか記載のＷＥＢ監視方法。
【請求項１７】
両端部の端局間を接続する通信回線と、前記両端部の端局各々と、前記端局の構成要素各々とをそれぞれ監視対象としてそれらの監視を行うＷＥＢ監視方法であって、複数の監視対象用ＷＥＢサーバ各々で前記監視対象各々の情報を集約して管理し、上位ＷＥＢサーバで前記複数の監視対象用ＷＥＢサーバのうちの自装置に対応するＷＥＢサーバからの集約情報を集約して管理するとともに、前記自装置に対応するＷＥＢサーバへのリンク情報を保持することを特徴とするＷＥＢ監視方法。
【請求項１８】
前記監視対象用ＷＥＢサーバを、前記通信回線の保守管理を行う装置と前記端局各々と前記構成要素各々とにそれぞれ配設し、
前記上位ＷＥＢサーバを、前記両端部の端局各々の上位装置に配設したことを特徴とする請求項１７記載のＷＥＢ監視方法。
【請求項１９】
複数の監視対象でグループを構成し、そのグループ毎に前記監視対象用ＷＥＢサーバを配置することを特徴とする請求項１７または請求項１８記載のＷＥＢ監視方法。
【請求項２０】
前記監視対象用ＷＥＢサーバを複数まとめてグループを構成し、そのグループ毎にグループ用ＷＥＢサーバを配置することを特徴とする請求項１７から請求項１９のいずれか記載のＷＥＢ監視方法。
【請求項２１】
前記グループ用ＷＥＢサーバは、下位のＷＥＢサーバからの集約情報を集約して管理するステップと、その集約した情報を上位のＷＥＢサーバに送出するステップとを含むことを特徴とする請求項２０記載のＷＥＢ監視方法。
【請求項２２】
前記リンク情報を基に最上位のＷＥＢサーバで管理される集約情報から順次下位のＷＥＢサーバで管理される集約情報へと展開して表示することを特徴とする請求項１７から請求項２１のいずれか記載のＷＥＢ監視方法。
【発明の詳細な説明】
【０００１】
【発明の属する技術分野】
本発明はＷＥＢ監視システム及びそれに用いるＷＥＢ監視方法に関し、特に光ファイバ網等の局舎間を光ファイバ等の通信回線で接続する伝送システムにおける通信回線の状態や局舎内の各装置の状態を監視する監視システムに関する。
【０００２】
【従来の技術】
従来、この種の伝送システムにおいては、局舎間が光ファイバ等の通信回線で接続されており、通信回線における回線断や通信品質の劣化、あるいは局舎内の各装置の故障等を、局舎内に配設された保守管理装置等で監視している。
【０００３】
例えば、図７に示すような海底光ファイバ網の場合、端局８は海底に設置されたリピータ（中継器）１０−１〜１０−４及び光ファイバ１００を介して端局９に接続されている。端局８，９内にはそれぞれＷＤＭ（Ｗａｖｅｌｅｎｇｔｈ　Ｄｉｖｉｓｉｏｎ　Ｍｕｌｔｉｐｌｅｘｉｎｇ）８１，９１と、ＬＴＥ（Ｌｉｎｅ　Ｔｅｒｍｉｎａｔｉｎｇ　Ｅｑｕｉｐｍｅｎｔ）８２〜８４，９２〜９４と、ＲＦＴＥ（Ｒｅｍｏｔｅ　Ｆｉｂｅｒ　Ｔｅｓｔ　Ｅｑｕｉｐｍｅｎｔ）８５，９５と、ＰＦＥ（Ｐｏｗｅｒ　Ｆｅｅｄｉｎｇ　Ｅｑｕｉｐｍｅｎｔ）８６，９６とが配設されている。
【０００４】
この海底光ファイバ網において端局８から端局９への経路の監視を行っている場合、光ファイバ１００の回線異常は、通常、受信側の端局９で光信号を受信できないことで検出されるが、その監視情報の送受信に光ファイバ１００を用いていると、光ファイバ１００の回線断の場合にはその監視情報を端局９から端局８へ通知することができない。
【０００５】
そのため、端局８と端局９との間に、光ファイバ１００とは別に、図示せぬ専用線を設けることで、上記の間情報を端局９から端局８に通知している。光ファイバ１００の回線断でなくとも、端局８，９内の装置の異常の場合も、専用線を用いて端局８，９内の装置からの故障情報を相互に通知し合うことで、それらの情報を基にその故障を特定することができる。
【０００６】
端局８，９内の装置に異常がない場合には、端局８，９からそれぞれ光パルス信号を送信し、その信号がリピータ１０−１〜１０−４各々から折り返されるかどうかを調べることで光ファイバ１００の異常を特定することができる。この場合も、端局８，９間で監視情報を相互に通知し合うことで、端局８，９内の保守管理装置等が光ファイバ１００の異常を知ることができる。
【０００７】
【発明が解決しようとする課題】
上述した従来の伝送システムの監視方法では、通信回線の両端部の端局間で専用線等を用いて監視情報のやりとりを行っているため、専用線等を敷設しなければならず、システムが複雑になるとともに、多大なコストがかかるので、安易にシステム内に専用線等を敷設することは難しい。また、この方法では専用線等を使用することができなくなると、監視情報のやりとりができなくなるため、故障箇所の特定に多大な時間がかかってしまう。
【０００８】
一方、他の監視システムとしては、監視対象となるデータを格納するＷＥＢサーバからそのデータを受信して監視対象の状態を監視するＷＥＢ監視システムがある。この種のＷＥＢ監視システムにおいては、監視対象となるデータを格納するＷＥＢサーバからそのデータをネットワークを介して受信するために、ＷＥＢブラウザを用いている。
【０００９】
この場合、ＷＥＢブラウザは必要とするデータの格納場所をＵＲＬ（Ｕｎｉｆｏｒｍ　Ｒｅｓｏｕｒｃｅ　Ｌｏｃａｔｏｒ）で指定し、データの送信をＷＥＢサーバに要求し、ＷＥＢサーバはＵＲＬで指定されたデータをＷＥＢブラウザに送信する。
【００１０】
上記の技術としては、特開２００２−０４９５３７号公報に開示された技術がある。この技術では、ＷＥｂサーバから受信した複数の監視対象データが複数の監視対象を関連付けた所定の条件を満たすか否かを判定して複数の監視対象の状態を監視することで、複数の監視対象を関連付けて総合的に監視することができるようにしている。
【００１１】
しかしながら、従来のＷＥＢ監視システムでは、多くの監視対象の中から目的の監視対象を見付け易くするために、情報の取りまとめ方法やＧＵＩ（Ｇｒａｐｈｉｃａｌ　Ｕｓｅｒ　Ｉｎｔｅｒｆａｃｅ）を工夫する必要があるという問題がある。
【００１２】
また、従来のＷＥＢ監視システムでは、監視対象の数が多い場合、処理性能の劣化が起こる可能性があるとともに、コンピュータのオペレーティングシステムが許しているコネクション数を超えてしまう場合があるという問題がある。
【００１３】
そこで、本発明の目的は上記の問題点を解消し、多数の監視対象の中から目的の監視対象を早く検索することができるＷＥＢ監視システム及びそれに用いるＷＥＢ監視方法を提供することにある。
【００１４】
また、本発明の他の目的は、処理性能の劣化を防ぐことができ、１つのコンピュータのオペレーティングシステムで許されていないコネクション数以上の監視対象を管理することができるＷＥＢ監視システム及びそれに用いるＷＥＢ監視方法を提供することにある。
【００１５】
【課題を解決するための手段】
本発明によるＷＥＢ監視システムは、各々監視対象の情報を集約して管理する複数の監視対象用ＷＥＢサーバと、前記複数の監視対象用ＷＥＢサーバのうちの自装置に対応するＷＥＢサーバからの集約情報を集約して管理しかつ前記自装置に対応するＷＥＢサーバへのリンク情報を保持する上位ＷＥＢサーバとを備えている。
【００１６】
本発明による他のＷＥＢ監視システムは、両端部の端局間を接続する通信回線と、前記両端部の端局各々と、前記端局の構成要素各々とをそれぞれ監視対象としてそれらの監視を行うＷＥＢ監視システムであって、前記監視対象各々の情報を集約して管理する複数の監視対象用ＷＥＢサーバと、前記複数の監視対象用ＷＥＢサーバのうちの自装置に対応するＷＥＢサーバからの集約情報を集約して管理しかつ前記自装置に対応するＷＥＢサーバへのリンク情報を保持する上位ＷＥＢサーバとを備えている。
【００１７】
本発明によるＷＥＢ監視方法は、複数の監視対象用ＷＥＢサーバ各々で監視対象の情報を集約して管理し、上位ＷＥＢサーバで前記複数の監視対象用ＷＥＢサーバのうちの自装置に対応するＷＥＢサーバからの集約情報を集約して管理するとともに、前記自装置に対応するＷＥＢサーバへのリンク情報を保持している。
【００１８】
本発明による他のＷＥＢ監視方法は、両端部の端局間を接続する通信回線と、前記両端部の端局各々と、前記端局の構成要素各々とをそれぞれ監視対象としてそれらの監視を行うＷＥＢ監視方法であって、複数の監視対象用ＷＥＢサーバ各々で前記監視対象各々の情報を集約して管理し、上位ＷＥＢサーバで前記複数の監視対象用ＷＥＢサーバのうちの自装置に対応するＷＥＢサーバからの集約情報を集約して管理するとともに、前記自装置に対応するＷＥＢサーバへのリンク情報を保持している。
【００１９】
すなわち、本発明のＷＥＢ監視方法は、複数の監視対象を効率良く監視することを目的とし、グループ化された監視対象の集約情報を階層的に見せるためのＷＥＢによる監視方法である。
【００２０】
従来のＷＥＢによる監視方法の場合、監視対象の数が多くなると、著しく処理性能が落ちたり、コンピュータのオペレーティングシステムが許しているコネクションの最大数以上の管理ができない場合がある。
【００２１】
本発明のＷＥＢ監視方法では、監視対象をグループ化し、グループ毎に管理サーバを配置することで、上記の問題を解決している。また、各グループの集約情報を上位のＷＥＢ監視システムへと通知し、監視情報を階層化することで、目的とする情報への利便性が高いナビゲーションを実現している。
【００２２】
より具体的に説明すると、本発明のＷＥＢ監視システムは、監視対象を管理している監視対象用ＷＥＢサーバと、集約情報を管理しかつ監視対象用ＷＥＢサーバへのリンク情報を保持している上位ＷＥＢサーバとから構成されている。この集約情報は１つのＷＥＢ画面に表示される。
【００２３】
まず、監視者は上位ＷＥＢサーバへアクセスし、表示された集約情報からどの監視対象の詳細情報を見るべきかを判断する。監視者は監視対象をＷＥＢ画面上で選択することによって、選択した監視対象からリンクが張られた監視対象用ＷＥＢサーバへ自動的にアクセスし、詳細情報を確認することが可能となる。
【００２４】
これによって、本発明のＷＥＢ監視システムでは、監視対象をグループ化し、その監視対照の情報を集約し、この情報とＶｉｅｗ（画面）とを階層化したため、効率良く目的を絞り込むことが可能となるので、多数の監視対象の中から目的の監視対象を早く検索することが可能となる。
【００２５】
また、本発明のＷＥＢ監視システムでは、監視対象をグループ化して管理しているので、グループ毎にマシンを配置することが可能となり、負荷が分散されるため、多数の監視対象を１サーバで監視することによって発生する処理性能の劣化を防ぐことが可能となる。
【００２６】
さらに、本発明のＷＥＢ監視システムでは、監視対象をグループ化して管理しているため、グループ毎にマシンを配置することが可能となり、グループ化を工夫することで、全体として従来のシステム以上の数の監視対象を管理することが可能となるので、１つのコンピュータのオペレーティングシステムで許されていないコネクション数以上の監視対象が管理可能となる。
【００２７】
一方、本発明のＷＥＢ監視システムでは、上述した伝送システムの監視に用いることで、システムを複雑化することもなく、多大なコストもかからないので、故障箇所の特定を容易かつ短時間に行うことが可能となる。
【００２８】
【発明の実施の形態】
次に、本発明の実施例について図面を参照して説明する。図１は本発明の一実施例によるＷＥＢ監視システムの構成の概要を示すブロック図である。図１において、本発明の一実施例によるＷＥＢ監視システムは図示せぬ監視対象Ａ〜Ｃを管理しかつ監視対象（Ａ〜Ｃ）用ＷＥＢサーバ３〜５へのリンク情報［ＵＲＬ（Ｕｎｉｆｏｒｍ　Ｒｅｓｏｕｒｃｅ　Ｌｏｃａｔｏｒ）］を保持している最上位ＷＥＢサーバ２と、監視対象Ａ〜Ｃの状態を監視しかつその状態の情報を集約した集約情報を管理する監視対象（Ａ〜Ｃ）用ＷＥＢサーバ３〜５とから構成され、最上位ＷＥＢサーバ２ではＷＥＢブラウザ１が動作し、そのＷＥＢブラウザ１によって監視対象Ａ〜Ｃの集約情報表示用のＷＥＢ画面１ａが表示される。
【００２９】
監視対象（Ａ〜Ｃ）用ＷＥＢサーバ３〜５は監視対象Ａ〜Ｃの状態を監視し、その監視内容（状態情報）を収集して集約している。最上位ＷＥＢサーバ２は保持しているリンク情報を基に監視対象（Ａ〜Ｃ）用ＷＥＢサーバ３〜５にアクセスし、監視対象（Ａ〜Ｃ）用ＷＥＢサーバ３〜５で管理している集約情報を収集する。
【００３０】
その際、監視対象（Ａ〜Ｃ）用ＷＥＢサーバ３〜５は最上位ＷＥＢサーバ２からのアクセス及び収集指示に応答し、自装置で管理している集約情報を最上位ＷＥＢサーバ２に通知する。最上位ＷＥＢサーバ２は監視対象（Ａ〜Ｃ）用ＷＥＢサーバ３〜５から収集した集約情報を基に監視対象Ａ〜Ｃの集約情報表示用のＷＥＢ画面１ａを生成して表示する。
【００３１】
まず、監視者は最上位ＷＥＢサーバ２上でＷＥＢブラウザ１を起動し、ＵＲＬでＷＥＢ画面１ａを読出して表示する。監視者はＷＥＢ画面１ａに表示された集約情報からどの監視対象の詳細情報を見るべきかを判断し、監視対象をＷＥＢ画面１ａ上で選択すると、ＷＥＢブラウザ１は監視対象（Ａ〜Ｃ）用ＷＥＢサーバ３〜５へのリンク情報を基にリンクの張られた監視対象（Ａ〜Ｃ）用ＷＥＢサーバ３〜５へ自動的にアクセスする。
【００３２】
ＷＥＢブラウザ１はアクセスした監視対象（Ａ〜Ｃ）用ＷＥＢサーバ３〜５から詳細管理情報を読出してＷＥＢ画面１ａに表示する。これによって、監視者はＷＥＢ画面１ａ上で選択した監視対象の詳細管理情報を確認することが可能となる。
【００３３】
図２は図１に示すＷＥＢ監視システムの詳細な構成を示すブロック図である。図２において、本発明の一実施例によるＷＥＢ監視システムは最上位ＷＥＢサーバ２と、監視対象（Ａ〜Ｃ）用ＷＥＢサーバ３〜５と、グループ１用ＷＥＢサーバ６と、グループ２用ＷＥＢサーバ７とから構成されている。
【００３４】
監視対象（Ａ〜Ｃ）用ＷＥＢサーバ３〜５はそれぞれ監視対象Ａ〜Ｃ（図示せず）に直接アクセスし、監視対象Ａ〜Ｃの状態管理や障害管理を行っており、監視対象Ａ〜Ｃの詳細管理情報を保持する詳細管理情報保持部３２，４２，５２と、監視対象Ａ〜Ｃの詳細管理情報を集約する集約処理部３１，４１，５１とを備えている。
【００３５】
グループ１用ＷＥＢサーバ６は監視対象（Ａ〜Ｃ）用ＷＥＢサーバ３〜５各々の集約情報を保持する集約情報保持部６１と、監視対象（Ａ〜Ｃ）用ＷＥＢサーバ３〜５各々へのリンク情報（ＵＲＬ）を保持するリンク情報保持部６２と、下位の監視対象（Ａ〜Ｃ）用ＷＥＢサーバ３〜５各々からの情報を集約する集約処理部６３とを備えている。
【００３６】
グループ２用ＷＥＢサーバ７は、上記のグループ１用ＷＥＢサーバ６と同様に、各監視対象（Ｄ〜Ｆ）用ＷＥＢ（図示せず）の集約情報を保持する集約情報保持部７１と、各監視対象（Ｄ〜Ｆ）用ＷＥＢサーバへのリンク情報を保持するリンク情報保持部７２と、下位の監視対象（Ｄ〜Ｆ）用ＷＥＢサーバ各々からの情報を集約する集約処理部７３とを備えている。
【００３７】
最上位ＷＥＢサーバ２はグループ１用ＷＥＢサーバ６及びグループ２用ＷＥＢサーバ７の集約情報を保持する集約情報保持部２１と、グループ１用ＷＥＢサーバ６及びグループ２用ＷＥＢサーバ７各々へのリンク情報を保持するリンク情報保持部２２とを備えている。
【００３８】
これら最上位ＷＥＢサーバ２と、監視対象（Ａ〜Ｃ）用ＷＥＢサーバ３〜５と、グループ１用ＷＥＢサーバ６と、グループ２用ＷＥＢサーバ７とはそれぞれの配置から階層構造となっており、最上位ＷＥＢサーバ２はレベル（Ｌｅｖｅｌ）１に、グループ１用ＷＥＢサーバ６及びグループ２用ＷＥＢサーバ７はレベル２に、監視対象（Ａ〜Ｃ）用ＷＥＢサーバ３〜５各々はレベル３にそれぞれ設定されている。尚、リンク情報保持部２２，６２，７２には下位方向のリンク情報が保持されているが、上位方向のリンク情報を保持することも、またそれらを組合せて保持することも可能である。
【００３９】
図３は図２の監視対象（Ａ〜Ｃ）用ＷＥＢサーバ３〜５の処理動作を示すフローチャートであり、図４は図２のグループ１用ＷＥＢサーバ６及びグループ２用ＷＥＢサーバ７の処理動作を示すフローチャートであり、図５は図２の最上位ＷＥＢサーバ２の処理動作を示すフローチャートであり、図６は本発明の一実施例によるＷＥＢ監視システムにおける目的とする情報へナビゲーションする処理動作を示すフローチャートである。これら図１〜図６を参照して本発明の一実施例によるＷＥＢ監視システムの動作について説明する。
【００４０】
レベル３の監視対象（Ａ〜Ｃ）用ＷＥＢサーバ３〜５の動作は共通であるため、監視対象Ａ用ＷＥＢサーバ３を例にとって説明する。監視対象Ａ用ＷＥＢサーバ３の詳細管理情報保持部３２には予め何らかの方法によって監視対象Ａの詳細管理情報が格納されているものとする。
【００４１】
監視対象Ａ用ＷＥＢサーバ３はあるトリガ信号が入力されると（図３ステップＳ１）、集約処理部３１に詳細管理情報を渡し、集約処理部３１にて情報の集約処理を行う（図３ステップＳ２）。
【００４２】
その後、監視対象Ａ用ＷＥＢサーバ３はあるトリガ信号が入力されると（図３ステップＳ３）、集約情報を上位にあるグループ１用ＷＥＢサーバ６へ通知する（図３ステップＳ４）。この場合、ステップＳ１のトリガ信号及びステップＳ３のトリガ信号は同じでも良いし、異なっていても良く、これらのトリガ信号としては、例えば、グループ１用ＷＥＢサーバ６からのアクセス及び集約情報収集指示がある。
【００４３】
レベル２のグループ１用ＷＥＢサーバ６及びグループ２用ＷＥＢサーバ７の動作は共通であるため、以下、グループ１用ＷＥＢサーバ６を例にとって説明する。グループ１用ＷＥＢサーバ６のリンク情報６２には予め何らかの方法によってリンク情報が格納されているものとする。
【００４４】
グループ１用ＷＥＢサーバ６は下位の監視対象（Ａ〜Ｃ）用ＷＥＢサーバ３〜５から集約情報の通知を受けると（図４ステップＳ１１）、その情報を集約情報保持部６１へ格納する（図４ステップＳ１２）。
【００４５】
グループ１用ＷＥＢサーバ６はあるトリガ信号が入力されると（図４ステップＳ１３）、集約処理部６３に集約情報保持部６１の情報を渡し、集約処理部６３にて情報の集約処理を行う（図４ステップＳ１４）。
【００４６】
その後に、グループ１用ＷＥＢサーバ６はあるトリガ信号が入力されると（図４ステップＳ１５）、集約情報を上位にある最上位ＷＥＢサーバ２へ通知する（図４ステップＳ１６）。この場合、ステップＳ１３のトリガ信号及びステップＳ１５のトリガ信号は同じでも良いし、異なっていても良く、これらのトリガ信号としては、例えば、最上位ＷＥＢサーバ２からのアクセス及び集約情報収集指示がある。
【００４７】
レベル１の最上位ＷＥＢサーバ２のリンク情報保持部２２には予め何らかの方法によって、下位のグループ１用ＷＥＢサーバ６及びグループ２用ＷＥＢサーバ７のリンク情報が格納されているものとする。最上位ＷＥＢサーバ２は下位のグループ１用ＷＥＢサーバ６及びグループ２用ＷＥＢサーバ７から集約情報の通知を受けると（図５ステップＳ２１）、その情報を集約情報保持部２１へ格納し（図５ステップＳ２２）、監視対象Ａ〜Ｃ，Ｄ〜Ｆの集約情報表示用のＷＥＢ画面１ａを生成する。
【００４８】
まず、レベル１の最上位ＷＥＢサーバ２が監視者からアクセスされると（ＷＥＢブラウザ１が起動されると）（図６ステップＳ３１）、ＷＥＢブラウザ１は集約情報保持部２１の集約情報を基に生成されたＷＥＢ画面１ａを表示する（図６ステップＳ３２）。ＷＥＢブラウザ１は監視者がＷＥＢ画面１ａに表示されている各グループの集約情報からどのグループにアクセスしたいかを判断して選択したグループに対応するアイコン等をクリックすることで、監視者からのグループ選択情報が入力されると（図６ステップＳ３３）、そのグループに対応するリンク情報をリンク情報保持部２２から読出す。
【００４９】
ＷＥＢブラウザ１は読出したリンク情報を基に下位のレベル２の下位のグループ１用ＷＥＢサーバ６にアクセスし（図６ステップＳ３５）、グループ１用ＷＥＢサーバ６の集約情報保持部６１に保持された情報を読出してＷＥＢ画面１ａに表示する（図６ステップＳ３６）。
【００５０】
ＷＥＢブラウザ１は監視者がＷＥＢ画面１ａに表示されている各監視対象の集約情報からどの監視対象にアクセスしたいかを判断して選択した監視対象に対応するアイコン等をクリックすることで、監視者からの監視対象選択情報が入力されると（図６ステップＳ３７）、その監視対象に対応するリンク情報をリンク情報保持部６２から読出す。
【００５１】
ＷＥＢブラウザ１は読出したリンク情報を基に下位のレベル３の監視対象（Ａ〜Ｃ）用ＷＥＢサーバ３〜５にアクセスし（図６ステップＳ３８）、監視対象（Ａ〜Ｃ）用ＷＥＢサーバ３〜５の詳細管理情報保持部３２，４２，５２に保持された情報を読出してＷＥＢ画面１ａに表示する（図６ステップＳ３９）。
【００５２】
これによって、ＷＥＢブラウザ１のＷＥＢ画面１ａには下位のレベル３のレベル３の監視対象（Ａ〜Ｃ）用ＷＥＢサーバ３〜５の詳細管理情報３２，４２，５２から取出された情報が表示されるので、最下位の監視対象（Ａ〜Ｃ）用ＷＥＢサーバ３〜５上の詳細管理情報３２，４２，５２によって監視対象の詳細管理情報を確認することができる。
【００５３】
次に、本実施例について具体例を用いて説明する。現在、監視対象Ａからｍａｊｏｒ警報と、ｍｉｎｏｒ警報とが１件ずつ発生し、監視対象Ａ用ＷＥＢサーバ３が詳細管理情報３２に警報情報を取込んでいるものとする。また、監視対象Ｂからｍｉｎｏｒ警報が３件発生し、監視対象Ｂ用ＷＥＢサーバ４が詳細管理情報４２に警報情報を取込んでいるものとする。さらに、監視対象Ｃでは障害が発生していないものとし、図示せぬ監視対象Ｄ，Ｅ，Ｆでも障害が発生していないものとする。
【００５４】
監視対象Ａ用ＷＥＢサーバ３の集約処理部３１はあるトリガ信号が入力されると、“ｍａｊｏｒ警報発生”という情報に集約し、上位のレベル２のグループ１用ＷＥＢサーバ６へ通知する。
【００５５】
監視対象Ｂ用ＷＥＢサーバ４の集約処理部４１はあるトリガ信号が入力されると、“ｍｉｎｏｒ警報発生”という情報に集約し、上位のレベル２のグループ１用ＷＥＢサーバ６へ通知する。
【００５６】
グループ１用ＷＥＢサーバ６は下位のレベル３の監視対象（Ａ，Ｃ）用ＷＥＢサーバ３，５からの通知を集約情報保持部６１へ格納し、あるトリガ信号が入力されると、“ｍａｊｏｒ警報発生”という情報に集約し、上位のレベル１の最上位ＷＥＢサーバ２へ通知する。
【００５７】
監視者は最上位ＷＥＢサーバ２にアクセスし、その最上位ＷＥＢサーバ２上で動作するＷＥＢブラウザ１のＷＥＢ画面１ａ上にて“グループ１でｍａｊｏｒ警報発生”という情報を得る。
【００５８】
監視者がグループ１のアイコンをクリックしすると、ＷＥＢブラウザ１はグループ１用ＷＥＢサーバ６へアクセスする。グループ１用ＷＥＢサーバ６は画面上にて、“監視対象Ａでｍａｊｏｒ警報発生”，“監視対象Ｂでｍｉｎｏｒ警報発生”という情報を得る。
【００５９】
監視者が監視対象Ａのアイコンをクリックすると、ＷＥＢブラウザ１は監視対象Ａ用ＷＥＢサーバ３へアクセスすることで、監視対象Ａで発生していたｍａｊｏｒ警報１件、ｍｉｎｏｒ警報１件の詳細を確認することができる。
【００６０】
このように、本実施例では、監視対象をグループ化し、監視対象の情報を集約し、情報とＶｉｅｗ（画面）とを階層化することで、効率よく、目的を絞込むことができるので、多数の監視対象の中から目的の監視対象を素早く検索することができる。
【００６１】
また、本実施例では、監視対象をグループ化して（複数の監視対象を一つの組として）管理しているため、グループ毎にマシンを配置することが可能となり、負荷が分散されるので、多数の監視対象を１サーバで監視することによって発生する処理性能の劣化を防ぐことができる。
【００６２】
さらに、本実施例では、監視対象をグループ化して管理しているため、グループ毎にマシンを配置することが可能となり、グループ化を工夫することで、全体としては従来以上の数の監視対象を管理することができるので、１つのコンピュータのオペレーティングシステムで許されていないコネクション数以上の監視対象を管理することができる。
【００６３】
図７は本発明の一実施例を適用する海底光ファイバ網の構成を示す図であり、図８は図７の海底光ファイバ網のＷＥＢ画面例を示す図である。これら図７及び図８を参照して本発明の一実施例を海底光ファイバ網に適用し、グループ化を工夫した例について説明する。
【００６４】
図７において、端局８は海底に設置されたリピータ（中継器）１０−１〜１０−４及び光ファイバ１００を介して端局９に接続されており、端局８，９内にはそれぞれＷＤＭ（Ｗａｖｅｌｅｎｇｔｈ　Ｄｉｖｉｓｉｏｎ　Ｍｕｌｔｉｐｌｅｘｉｎｇ）８１，９１と、ＬＴＥ（Ｌｉｎｅ　Ｔｅｒｍｉｎａｔｉｎｇ　Ｅｑｕｉｐｍｅｎｔ）８２〜８４，９２〜９４と、ＲＦＴＥ（Ｒｅｍｏｔｅ　Ｆｉｂｅｒ　Ｔｅｓｔ　Ｅｑｕｉｐｍｅｎｔ）８５，９５と、ＰＦＥ（Ｐｏｗｅｒ　Ｆｅｅｄｉｎｇ　Ｅｑｕｉｐｍｅｎｔ）８６，９６とが配設されている。
【００６５】
図８において、ネットワーク画面（Ｎｅｔｗｏｒｋ　Ｖｉｅｗ）１ｂは上記のレベル１の最上位ＷＥＢサーバ２内に設けられた集約情報保持部２１の情報に基づいて生成されている。この場合、ネットワーク画面１ｂにはグループ１（各端局８，９内の装置のまとまり）のアイコン（つまり、端局８，９各々を示すアイコン）と、グループ２（光ファイバ１００各々の光ファイバユニットのまとまり）のアイコン（つまり、光ファイバ１００各々を示すアイコン）とが表示されている。図８においては端局と光ファイバとによってリング状のネットワークが形成されているが、端局とそれに隣合う端局との間は光ファイバで接続されて閉じたシステムとなっている。
【００６６】
ターミナル画面（Ｔｅｒｍｉｎａｌ　Ｖｉｅｗ）１ｃは上記のレベル２のグループ１用ＷＥＢサーバ６内に設けられた集約情報保持部６１の情報に基づいて生成されている。この場合、ターミナル画面１ｃにはＷＤＭ８１，９１、ＬＴＥ８２〜８４，９２〜９４、ＲＦＴＥ８５，９５、ＰＦＥ８６，９６各々を示すアイコンが表示されている。
【００６７】
設備画面（Ｅｑｕｉｐｍｅｎｔ　Ｖｉｅｗ）１ｄは上記のレベル３の監視対象Ａ用ＷＥＢサーバ３内に設けられた詳細管理情報保持部３２の情報に基づいて生成されている。この場合、設備画面１ｄにはＷＤＭ８１，９１、ＬＴＥ８２〜８４，９２〜９４、ＲＦＴＥ８５，９５、ＰＦＥ８６，９６各々の構成要素であるＮＥ（Ｎｅｔｗｏｒｋ　Ｅｌｅｍｅｎｔ）各々を示すアイコンが表示されている。ここで、ＮＥは通信回線（光ファイバ１００）に関連するものと、その以外のものとからなり、詳細管理情報保持部３２には通信回線に関連しないＮＥの状態情報が保持されている。
【００６８】
セグメント画面（Ｓｅｇｍｅｎｔ　Ｖｉｅｗ）１ｅ，１ｆは上記のレベル３の監視対象用ＷＥＢサーバの詳細管理情報保持部の情報に基づいて生成されている。この場合、セグメント画面１ｅには各光ファイバ１００内の光ファイバユニット各々を示すアイコンが表示され、セグメント画面１ｆには各光ファイバユニットの光ファイバ心線各々を示すアイコンが表示されている。セグメント画面に対応する監視対象用ＷＥＢサーバの詳細管理情報保持部には通信回線に関連するＮＥの状態情報が保持されている。ここで、セグメント画面１ｅ，１ｆにおいては、通信回線に関連するＮＥの状態情報及び端局からの光パルス信号による光ファイバ１００自体の状態情報によって各光ファイバ１００の異常、正常が表示される。
【００６９】
すなわち、上記の例の場合、レベル１の最上位ＷＥＢサーバ２を端局８，９の上位装置に設置し、レベル２のグループ１用ＷＥＢサーバ６を端局８，９に設置し、レベル３の監視対象Ａ用ＷＥＢサーバ３をＷＤＭ８１，９１、ＬＴＥ８２〜８４，９２〜９４、ＲＦＴＥ８５，９５、ＰＦＥ８６，９６各々に設けることで、ネットワーク画面１ｂ、ターミナル画面１ｃ、設備画面１ｄ、セグメント画面１ｅ，１ｆ各々が表示可能となる。
【００７０】
ＷＥＢブラウザ１が起動されると、ＷＥＢ画面１ａにはネットワーク画面１ｂが表示され、このネットワーク画面１ｂ上で端局８，９を示すアイコン（図８では丸で表示）がクリックされると、クリックされたアイコンに対応するターミナル画面１ｃが表示される。
【００７１】
続いて、ターミナル画面１ｃ上でＷＤＭ８１，９１、ＬＴＥ８２〜８４，９２〜９４、ＲＦＴＥ８５，９５、ＰＦＥ８６，９６各々を示すアイコンのいずれかがクリックされると、クリックされたアイコンに対応する設備画面１ｄ、つまり各装置内の架に搭載される基板（ＮＥ）の構成とその状態とが表示される。
【００７２】
一方、ネットワーク画面１ｂ上で各光ファイバを示すアイコン（図８では線分で表示）がクリックされると、クリックされたアイコンに対応するＦｉｂｅｒ　Ｐａｉｒ（光ファイバ１００の各光ファイバユニットのまとまり）のセグメント画面１ｅが表示される。
【００７３】
続いて、セグメント画面１ｅ上で各光ファイバユニット各々を示すアイコンのいずれかがクリックされると、クリックされたアイコンに対応する光ファイバ心線の詳細な状態情報がセグメント画面１ｆに表示される。
【００７４】
したがって、本実施例では、上記のように、海底光ファイバ網において各構成要素をグループ化することで、異常となっている部位をネットワーク画面１ｂ、ターミナル画面１ｃ、設備画面１ｄ、セグメント画面１ｅ，１ｆ各々で容易に確認することができる。しかも、これらの画面はＷＥＢサーバ各々に保持されているリンク情報を基にアクセスするだけで、それぞれ集約された状態で表示されるので、ネットワーク全体やその詳細部分をも含めて容易に監視することができる。
【００７５】
また、本実施例では、海底光ファイバ網に適用した場合、専用線等を敷設する必要もなく、システムの複雑化や高コスト化を招くこともないので、容易に監視システムを構築することができ、故障箇所の特定も短時間かつ容易に行うことができる。尚、本実施例は上記の海底光ファイバ網に限らず、陸上の光ファイバ網や他の伝送システムに適用することが可能である。
【００７６】
図９は本発明の他の実施例によるＷＥＢ監視システムの詳細な構成を示すブロック図である。図７において、本発明の他の実施例によるＷＥＢ監視システムは最上位ＷＥＢサーバ１１と、グループα用ＷＥＢサーバ１２と、グループβ用ＷＥＢサーバ１３と、グループＡ用ＷＥＢサーバ１４と、グループＢ用ＷＥＢサーバ１５と、グループ１用ＷＥＢサーバ１６と、グループ２用ＷＥＢサーバ１７と、監視対象（Ａ〜Ｃ）用ＷＥＢサーバ３〜５とから構成され、階層化されたレベルを５としている。
【００７７】
監視対象（Ａ〜Ｃ）用ＷＥＢサーバ３〜５はそれぞれ監視対象Ａ〜Ｃ（図示せず）に直接アクセスし、監視対象Ａ〜Ｃの状態管理や障害管理を行っており、詳細管理情報保持部３２，４２，５２と、管理情報の集約処理部３１，４１，５１とを備えている。
【００７８】
最上位ＷＥＢサーバ１１はグループα用ＷＥＢサーバ１２及びグループβ用ＷＥＢサーバ１３の集約情報保持部１１ａと、グループα用ＷＥＢサーバ１２及びグループβ用ＷＥＢサーバ１３各々へのリンク情報保持部１１ｂとを備えている。
【００７９】
グループα用ＷＥＢサーバ１２はグループＡ用ＷＥＢサーバ１４及びグループＢ用ＷＥＢサーバ１５の集約情報保持部１２ａと、グループＡ用ＷＥＢサーバ１４及びグループＢ用ＷＥＢサーバ１５各々へのリンク情報保持部１２ｂと、集約処理部１２ｃとを備えている。尚、グループβ用ＷＥＢサーバ１３は、上記のグループα用ＷＥＢサーバ１２と同様に、集約情報保持部１３ａと、リンク情報保持部１３ｂと、集約処理部１３ｃとを備えている。
【００８０】
グループＡ用ＷＥＢサーバ１４はグループ１用ＷＥＢサーバ１６及びグループ２用ＷＥＢサーバ１７の集約情報保持部１４ａと、グループ１用ＷＥＢサーバ１６及びグループ２用ＷＥＢサーバ１７各々へのリンク情報保持部１４ｂと、集約処理部１４ｃとを備えている。尚、グループＢ用ＷＥＢサーバ１５は、上記のグループＡ用ＷＥＢサーバ１４と同様に、集約情報保持部１５ａと、リンク情報保持部１５ｂと、集約処理部１５ｃとを備えている。
【００８１】
グループ１用ＷＥＢサーバ１６は各監視対象（Ａ〜Ｃ）用ＷＥＢサーバ３〜５の集約情報保持部１６ａと、各監視対象（Ａ〜Ｃ）用ＷＥＢサーバ３〜５へのリンク情報保持部１６ｂと、集約処理部１６ｃとを備えている。グループ２用ＷＥＢサーバ１７は、上記のグループ１用ＷＥＢサーバ１６と同様に、各監視対象（Ｄ〜Ｆ）用ＷＥＢ（図示せず）の集約情報保持部１７ａと、各監視対象（Ｄ〜Ｆ）用ＷＥＢサーバへのリンク情報保持部１７ｂと、集約処理部１７ｃとを備えている。
【００８２】
例えば、最上位ＷＥＢサーバ１１では国別の集約情報を表示し、グループα用ＷＥＢサーバ１２及びグループβ用ＷＥＢサーバ１３では都道府県別の集約情報を表示し、グループＡ用ＷＥＢサーバ１４及びグループＢ用ＷＥＢサーバ１５では監視局舎毎の集約情報を表示し、グループ１用ＷＥＢサーバ１６及びグループ２用ＷＥＢサーバ１７では装置毎の集約情報を表示し、監視対象（Ａ〜Ｃ）用ＷＥＢサーバ３〜５では１装置の詳細情報を表示するといったように階層化することで、より広い範囲から、目的の監視対象へ効率的に辿り着くことが可能となる。
【００８３】
【発明の効果】
以上説明したように本発明のＷＥＢ監視システムは、複数の監視対象用ＷＥＢサーバ各々で監視対象の情報を集約して管理し、上位ＷＥＢサーバで複数の監視対象用ＷＥＢサーバのうちの自装置に対応するＷＥＢサーバからの集約情報を集約して管理するとともに、自装置に対応するＷＥＢサーバへのリンク情報を保持することによって、多数の監視対象の中から目的の監視対象を早く検索することができるという効果が得られる。
【００８４】
また、本発明の他のＷＥＢ監視システムは、複数の監視対象用ＷＥＢサーバ各々で監視対象の情報を集約して管理し、上位ＷＥＢサーバで複数の監視対象用ＷＥＢサーバのうちの自装置に対応するＷＥＢサーバからの集約情報を集約して管理するとともに、自装置に対応するＷＥＢサーバへのリンク情報を保持することによって、処理性能の劣化を防ぐことができ、１つのコンピュータのオペレーティングシステムで許されていないコネクション数以上の監視対象を管理することができるという効果が得られる。
【図面の簡単な説明】
【図１】本発明の一実施例によるＷＥＢ監視システムの構成の概要を示すブロック図である。
【図２】図１に示すＷＥＢ監視システムの詳細な構成を示すブロック図である。
【図３】図２の監視対象（Ａ〜Ｃ）用ＷＥＢサーバの処理動作を示すフローチャートである。
【図４】図２のグループ１用ＷＥＢサーバ及びグループ２用ＷＥＢサーバの処理動作を示すフローチャートである。
【図５】図５は図２の最上位ＷＥＢサーバの処理動作を示すフローチャートである。
【図６】図６は本発明の一実施例によるＷＥＢ監視システムにおける目的とする情報へナビゲーションする方法をフローチャートである。
【図７】本発明の一実施例を適用する海底光ファイバ網の構成を示す図である。
【図８】図７の海底光ファイバ網のＷＥＢ画面例を示す図である。
【図９】本発明の他の実施例によるＷＥＢ監視システムの詳細な構成を示すブロック図である。
【符号の説明】
１　ＷＥＢブラウザ
１ａ　ＷＥＢ画面
１ｂ　ネットワーク画面
１ｃ　ターミナル画面
１ｄ　設備画面
１ｅ，１ｆ　セグメント画面
２，１１　最上位ＷＥＢサーバ
３〜５　監視対象（Ａ〜Ｃ）用ＷＥＢサーバ
６，１６　ループ１用ＷＥＢサーバ
７，１７　グループ２用ＷＥＢサーバ
８，９　端局
１０−１〜１０−４　リピータ
１１ａ，１２ａ，１３ａ，１４ａ，１５ａ，１６ａ，１７ａ，２１，６１，７１　集約情報保持部
１１ｂ，１２ｂ１３ｂ，１４ｂ，１５ｂ，１６ｂ，１７ｂ，２２，６２，７２　リンク情報保持部
１２　グループα用ＷＥＢサーバ
１２ｃ，１３ｃ，１４ｃ，１５ｃ，１６ｃ，１７ｃ，３１，４１，５１，６３，７３　集約処理部
１３　グループβ用ＷＥＢサーバ
１４　グループＡ用ＷＥＢサーバ
１５　グループＢ用ＷＥＢサーバ１５
３２，４２，５２　詳細管理情報保持部
８１，９１　ＷＤＭ
８２〜８４，９２〜９４　ＬＴＥ
８５，９５　ＲＦＴＥ
８６，９６　ＰＦＥ
１００　光ファイバ
【図１】
2004046383.tif 000003
【図２】
2004046383.tif 000004
【図３】
2004046383.tif 000005
【図４】
2004046383.tif 000006
【図５】
2004046383.tif 000007
【図６】
2004046383.tif 000008
【図７】
2004046383.tif 000009
【図８】
2004046383.tif 000010
【図９】
2004046383.tif 000011